(57)【要約】【課題】パネルに対するコネクタのがたつきを抑える。【解決手段】コネクタは、パネル９０の取付孔９１に挿入されるハウジング１０を備える。ハウジング１０の左右両側の部分には、パネル９０の一面側に当接する係止部１９が設けられているとともに、係止部１９を挟んだ上下両側の位置に、パネル９０の他面側に対してパネル９０の板厚方向に弾性変位可能に当接する板厚吸収部２５が設けられている。パネル９０の板厚が変更されても、係止部１９がパネル９０の一面側に当接し、板厚吸収部２５がパネル９０の他面側に当接する状態を確保することができる。【選択図】図４
2016018771.tif 000002
【特許請求の範囲】
【請求項１】
パネルに取り付けられるコネクタであって、
前記パネルの取付孔に挿入されるハウジングを備え、
前記ハウジングの左右両側の部分には、前記パネルの一面側に当接する係止部が設けられているとともに、前記係止部を挟んだ上下両側の位置に、前記パネルの他面側に対して前記パネルの板厚方向に弾性変位可能に当接する板厚吸収部が設けられていることを特徴とするコネクタ。
【請求項２】
前記板厚吸収部が、前記パネルの他面側に近づくように突出し、その突出端部が前記パネルの他面側に当接する押さえ部を有していることを特徴とする請求項１記載のコネクタ。
【請求項３】
前記ハウジングには、前記パネルを挟んで前記板厚吸収部とは反対側の位置に、前記パネルの一面側に当接する補助係止部が設けられ、前記補助係止部が、前記板厚吸収部とは別に撓み動作する形態とされていることを特徴とする請求項１又は２記載のコネクタ。
【発明の詳細な説明】
【技術分野】
【０００１】
本発明は、コネクタに関する。
【背景技術】
【０００２】
特許文献１に記載のものは、取付パネル（パネル）に取り付けられるコネクタであって、取付パネルの取付穴（取付孔）に挿入されるインシュレータ（ハウジング）を備えている。インシュレータの左右両側の部分には、一対のロックバネ片（係止部）が設けられ、さらに、両パネルロック部を挟んだ上下両側の位置に、ストッパーバネ片が設けられている。ロックバネ片には、ロック突起が設けられている。ストッパーバネ片には、ストッパ突起と傾斜突起とが前後に並んで設けられている。コネクタが取付パネルに取り付けられると、ロック突起及びストッパ突起が取付パネルの裏面側（一面側）に当接し、さらに、ストッパーバネ片が撓み変形した状態で傾斜突起が取付穴の穴縁に当接する。ここで、仮に、取付パネルの厚みが変更されても、ストッパーバネ片が撓み変形した状態のまま傾斜突起が取付穴の穴縁に当接する状態を維持することにより、ロックバネ片とストッパーバネ片との間に取付パネルを挟持しておくことが可能となっている。
【先行技術文献】
【特許文献】
【０００３】
【特許文献１】特許第２６６５７２４号公報
【発明の概要】
【発明が解決しようとする課題】
【０００４】
ところで、パネルに取り付けられたコネクタに対し、過大な振動が加わると、傾斜突起が取付穴の穴縁を摺動し、パネルに対するコネクタのがたつきが発生するおそれがあった。
【０００５】
本発明は上記のような事情に基づいて完成されたものであって、パネルに対するコネクタのがたつきを抑えることを目的とする。
【課題を解決するための手段】
【０００６】
本発明は、パネルに取り付けられるコネクタであって、前記パネルの取付孔に挿入されるハウジングを備え、前記ハウジングの左右両側の部分には、前記パネルの一面側に当接する係止部が設けられているとともに、前記係止部を挟んだ上下両側の位置に、前記パネルの他面側に対して前記パネルの板厚方向に弾性変位可能に当接する板厚吸収部が設けられているところに特徴を有する。
【発明の効果】
【０００７】
コネクタがパネルに取り付けられると、ハウジングの左右両側の部分に設けられた係止部がパネルの一面側に当接するとともに、両係止部を挟んだ上下両側の位置に設けられた板厚吸収部がパネルの他面側に当接するため、パネルに対するコネクタのがたつきを抑えることができる。この場合に、板厚吸収部がパネルの他面側に対してパネルの板厚方向に弾性変位可能に当接するため、パネルの板厚変更に柔軟に対応することができる。したがって、パネルの板厚が変更されても、係止部がパネルの一面側に当接するとともに、板厚吸収部がパネルの他面側に当接する状態を確保することができ、コネクタのがたつきを確実に抑えることができる。
【図面の簡単な説明】
【０００８】
【図１】本発明の実施例１のコネクタがパネルに取り付けられた状態を示す斜視図である。
【図２】同じく、平面図である。
【図３】同じく、正面図である。
【図４】同じく、側面図である。
【図５】同じく、側面視方向の断面図である。
【図６】同じく、パネルの板厚が小さくなった場合における側面視方向の断面図である。
【図７】同じく、平面視方向の断面図である。
【図８】本発明の実施例２のコネクタがパネルに取り付けられた状態を示す斜視図である。
【図９】同じく、平面図である。
【図１０】同じく、正面図である。
【図１１】同じく、側面図である。
【図１２】同じく、側面視方向の断面図である。
【発明を実施するための形態】
【０００９】
本発明の好ましい形態を以下に示す。
前記板厚吸収部が、前記パネルの他面側に近づくように突出し、その突出端部が前記パネルの他面側に当接する押さえ部を有している。これによれば、パネルの板厚が大きく変更されても、押さえ部がパネルの後面に当接する状態を確実に確保することができる。
【００１０】
前記ハウジングには、前記パネルを挟んで前記板厚吸収部とは反対側の位置に、前記パネルの一面側に当接する補助係止部が設けられ、前記補助係止部が、前記板厚吸収部とは別に撓み動作する形態とされている。補助係止部と係止部とによってパネルの一面側に対するコネクタの係止力が高められる。また、補助係止部が板厚吸収部とは別に撓み動作する形態とされているため、補助係止部と板厚吸収部のそれぞれの撓み動作の円滑性が担保される。
【００１１】
＜実施例１＞
本発明の実施例１を図１〜図７によって説明する。本実施例１のコネクタは、車体のパネル９０に取り付けられるものであって、合成樹脂製のハウジング１０を備えている。ハウジング１０は、図示しない相手ハウジングに嵌合可能とされている。なお、以下の説明において、前後方向は、嵌合開始時に相手ハウジングと向き合う面側を前側とする。上下方向及び左右方向は、コネクタを正面から見た場合を基準とし、具体的には、図３を基準とする。
【００１２】
パネル９０は、図１、図３及び図５に示すように、上下方向及び左右方向にほぼ沿った平板状の形態とされている。パネル９０には、ハウジング１０を挿入可能な取付孔９１が開口して設けられている。取付孔９１は、左右方向に長い略矩形の開口形状で構成されている。図１〜図３及び図７に示すように、パネル９０の取付孔９１の左右両側縁には、前方に突出する一対の突出片９２が設けられている。突出片９２は、取付孔９１内に突出する部分を前方へ曲げ起こして形成されている。突出片９２の基端部（曲げ部分）は、取付孔９１内に少し張り出して、取付孔９１の左右両側縁の上下方向略中央に沿って延びる形態とされている。突出片９２の突出端面は、上下方向にほぼ沿った係止受面９３とされている。
【００１３】
図１〜図３に示すように、ハウジング１０は、上下方向よりも左右方向に長い角ブロック状のハウジング本体１１と、ハウジング本体１１の左右両側面の後端部から左右両側へ一体に突出する一対のパネル係止部１２とを有している。図１及び図３に示すように、ハウジング本体１１は、複数のキャビティ１３を有している。各キャビティ１３は、上下２段で且つ左右方向に複数並んで整列に配置されている。図３に示すように、各キャビティ１３の内壁には、ランス１４が突出して設けられている。各キャビティ１３には、後方から図示しない端子金具が挿入される。正規挿入された端子金具は、ランス１４に弾性的に係止されてキャビティ１３内に抜け止め状態に保持される。
【００１４】
図１〜図３に示すように、ハウジング本体１１の上面の前端部における左右方向略中央には、ロック部１５が突設されている。ハウジング１０が図示しない相手ハウジングに嵌合されたときに、ロック部１５が相手ハウジングに弾性的に係止されて、両ハウジングが嵌合状態に保持されるようになっている。
【００１５】
図１に示すように、パネル係止部１２は、全体として略角箱状をなし、前壁１６と、前壁１６の上下両縁に連なる上下両壁１７と、上下両壁１７及び前壁１６の各側縁に連なる側壁１８とを有している。図１〜図３に示すように、パネル係止部１２の側壁１８には、係止部１９が一体に設けられている。図３に示すように、係止部１９は、ハウジング１０の左右両側部の上下方向略中央に対をなして配置されている。具体的には、係止部１９は、前壁１６から側壁１８にかけて前後方向に延びる上下一対の切り込み２１間に撓み変形可能に配置されている。そして、係止部１９は、前壁１６を基端として後方へ片持ち状に突出する形態とされ、前後方向に関して側壁１８の全長に亘る突出寸法を有している。図２及び図７に示すように、係止部１９には、前壁１６に連なる基端から後方へ向けて外側（ハウジング本体１１から離れる側）に隆起する係止本体２２が設けられている。係止本体２２は、係止部１９全体の上下寸法と同じ上下寸法で構成され、その後端面が上下方向にほぼ沿った係止面２３とされている。
【００１６】
図１〜図３に示すように、パネル係止部１２の側壁１８の後端部には、上下方向に沿った対向壁２４が設けられている。対向壁２４は、側壁１８の上下両端に連結された状態で係止部１９の後端（自由端）を跨ぐようにアーチ状に形成されている。図２に示すように、対向壁２４は、係止本体２２の係止面２３の後方に配置されている。
【００１７】
また、パネル係止部１２の上下両壁１７には、それぞれ、板厚吸収部２５が一体に設けられている。図３に示すように、板厚吸収部２５は、ハウジング１０の左右両側部で且つ係止部１９を挟んだ上下両側の位置に対をなして設けられている。そして、図１〜図３に示すように、板厚吸収部２５は、パネル係止部１２の左右方向略中央にて前壁１６から側壁１８にかけて前後方向に延びる切り込み２６の内側（ハウジング本体１１側）に撓み変形可能に配置されている。そして、板厚吸収部２５は、前壁１６を基端として後方へ片持ち状に突出する形態とされ、前後方向に関して上下両壁１７の全長に亘る突出寸法を有している。
【００１８】
図５に示すように、板厚吸収部２５は、自然状態では前壁１６に連なる基端から後方へ向けて外側（係止部１９から離れる側）に開くように傾斜して延びる板厚吸収本体２７と、板厚吸収本体２７の後端（自由端）から外側へ略直角に屈曲して突出する押さえ部２８とからなる。図２に示すように、板厚吸収部２５は、板厚吸収本体２７から押さえ部２８にかけて前後方向に同幅（同一の左右寸法）で連なっている。板厚吸収部２５が自然状態にある場合、押さえ部２８は突出端側へ行くにつれ前方へ逆テーパ状に傾斜するように配置される。なお、板厚吸収部２５の左右方向の幅寸法は、係止部１９の上下方向の幅寸法よりも小さくされる。また、板厚吸収部２５の外面には、その延出方向途中に、係止部１９の係止本体２２に相当するような突出形状が設けられていない。
【００１９】
次に、パネル９０に対するコネクタの取付方法及び取付構造を説明する。
パネル９０への取り付けに際し、パネル９０の取付孔９１に後方からハウジング１０が挿入される。ハウジング１０の取付孔９１への挿入過程では、両係止部１９の係止本体２２の外面が両突出片９２の内面を摺動することにより、両係止部１９が内側（ハウジング本体１１側）へ撓み変形させられる。また、ハウジング１０の取付孔９１への挿入過程では、各板厚吸収部２５の板厚吸収本体２７の外面が取付孔９１の上下両端縁の左右両側部を摺動することにより、各板厚吸収部２５が内側（係止部１９側）へ撓み変形させられる。そして、ハウジング１０は、取付孔９１に挿入されることにより、パネル９０の前面側に突き出るようになる。
【００２０】
ハウジング１０が取付孔９１に正規挿入される直前には、各板厚吸収部２５の押さえ部２８の突出端部がパネル９０の後面（他面）における取付孔９１の開口縁部のうちの上下両端側の左右両側部に突き当て状に当接する。このとき、押さえ部２８は、板厚吸収本体２７の後端に連なる基端部がパネル９０の後面から離間し、突出端部のみがパネル９０の後面に当接するように、パネル９０の後面へ向けて前傾する姿勢をとる（図４及び図５を参照）。
【００２１】
ハウジング１０が取付孔９１に正規挿入されると、各板厚吸収部２５が撓み変形した状態のまま、各板厚吸収部２５の押さえ部２８がパネル９０の後面に当接した状態を維持する。また、ハウジング１０が取付孔９１に正規挿入されると、両係止部１９が弾性的に復帰して、係止本体２２の係止面２３が突出片９２の係止受面９３（パネル９０の前面側（一面側））に上下方向にほぼ沿って当接する（図１、図２、図４及び図７を参照）。これにより、両係止部１９の係止本体２２と各板厚吸収部２５の押さえ部２８との間にパネル９０が板厚方向（前後方向）に挟持された状態となり、パネル９０に対するハウジング１０の前後方向のがたつきが抑えられる。とくに、両係止部１９の係止本体２２がパネル９０の前面における取付孔９１の開口縁部の左右両側と対応する部分（突出片９２の突出端部）に当接して係止されるとともに、各板厚吸収部２５の押さえ部２８がパネル９０の後面における取付孔９１の開口縁部のうちの上下両端側の左右両側部に当接して係止されるため、パネル９０に対してハウジング１０が前後両方向に抜け止めされた状態で確実に保持される。なお、ハウジング１０が取付孔９１に正規挿入されたときに、対向壁２４はパネル９０の後面との間に若干の隙間をあけて対向して配置されている（図２、図４及び図７を参照）。
【００２２】
ところで、パネル９０が変更されて、例えば、図６に示すように、パネル９０の板厚が上記板厚よりも小さくなった場合に、ハウジング１０がパネル９０に取り付けられると、各板厚吸収部２５が上記よりも小さい撓み量をもって撓み変形した状態で、もしくは自然状態に復帰した状態で、各板厚吸収部２５の押さえ部２８の突出端部がパネル９０の後面に突き当て状に当接する。また、図示しないが、パネル９０の板厚が上記板厚よりも大きくなった場合、各板厚吸収部２５が上記よりも大きい撓み量をもって撓み変形した状態で、各板厚吸収部２５の押さえ部２８の突出端部がパネル９０の後面に突き当て状に当接する。このとき、パネル９０の前面側では、両係止部１９の係止本体２２が両突出片９２に当接する状態となっている。
【００２３】
したがって、パネル９０の板厚が変更されても、各板厚吸収部２５の撓み動作を伴うことで、そのパネル９０の板厚変化を吸収することができる。その結果、各板厚吸収部２５の押さえ部２８と両係止部１９の係止本体２２との間にパネル９０が挟持される状態を確実に実現することができ、ハウジング１０のがたつきをしっかりと抑えることができる。
【００２４】
以上説明したように、本実施例１によれば、コネクタがパネル９０に取り付けられると、ハウジング１０の左右両側の部分に設けられた一対の係止部１９がパネル９０の前面側に当接するとともに、両係止部１９を挟んだ上下両側の位置に設けられた一対ずつの板厚吸収部２５がパネル９０の後面側に当接するため、パネル９０に対するコネクタのがたつきが抑えられる。この場合に、各板厚吸収部２５がパネル９０の後面側に対してパネル９０の板厚方向（前後方向）に弾性変位可能に当接するため、パネル９０の板厚変更に柔軟に対応することができる。したがって、パネル９０の板厚が変更されても、両係止部１９がパネル９０の前面側に当接するとともに、各板厚吸収部２５がパネル９０の後面側に当接する状態を確保することができ、コネクタのがたつきを確実に抑えることができる。
【００２５】
また、各板厚吸収部２５の押さえ部２８がその基端から突出端へ向けてパネル９０の後面に近づくように傾斜する形態とされるため、押さえ部２８を介することにより、板厚吸収部２５がパネル９０の後面に当接する状態を確実に確保することができる。
【００２６】
＜実施例２＞
図８〜図１２は、本発明の実施例２を示す。実施例２のコネクタは、パネル係止部１２Ａの構造が実施例１とは異なるが、パネル係止部１２Ａ以外の部分は実施例１とほぼ同様である。したがって、実施例２において、実施例１と同様又は相当する構造には同一符号を付し、重複する説明を省略する。
【００２７】
図８〜図１０に示すように、パネル係止部１２Ａは、実施例１と同様、ハウジング本体１１の左右両側部に配置され、前壁１６、上下両壁１７及び側壁１８を有する略角箱状の形態とされている。そして、図１１に示すように、パネル係止部１２Ａの側壁１８には、係止部１９及び対向壁２４が設けられ、これらも実施例１と同様の形態とされている。
【００２８】
図８及び図１０に示すように、パネル係止部１２Ａの上下両壁１７は、実施例１の上下両壁１７よりも左右方向の幅寸法が大きくされ、係止部１９全体を上下両側から覆うように配置されている。そして、図８〜図１０に示すように、パネル係止部１２Ａの上下両壁１７には、左右方向略中央にて前壁１６から側壁１８にかけて前後方向に延びる左右一対の切り込み２９間に、補助係止部３１が撓み変形可能に設けられている。補助係止部３１は、前壁１６を基端として後方へ片持ち状に突出する形態とされ、前後方向に関して上下両壁１７の全長に亘る突出寸法を有している。補助係止部３１の外面の前後方向途中には、爪状の補助係止突起３２が設けられている。補助係止突起３２の後面は、係止部１９の係止本体２２の係止面２３とほぼ同じ前後位置に配置されている。
【００２９】
パネル係止部１２Ａの上下両壁１７の後端部には、左右方向に沿った板片状の板厚吸収部２５Ａが起立して設けられている。図８〜図１０に示すように、板厚吸収部２５Ａは、上下両壁１７の左右両側部に連結された状態で補助係止部３１の後端（自由端）を跨ぐようにアーチ状に形成されている。図９に示すように、コネクタがパネル９０に取り付けられた状態では、板厚吸収部２５Ａと補助係止突起３２とがパネル９０を挟んで平面視において対向して配置される。また、図１１及び図１２に示すように、板厚吸収部２５Ａは、上下両壁１７の後端部から前方へ向けて外側（係止部１９から離れる側）に開くように傾斜して片持ち状に突出する形態とされ、全体が押さえ部２８Ａとして構成されている。この板厚吸収部２５Ａは、補助係止部３１とは連動せずに、上下両壁１７の後端部に連なる基端部を支点として独立して撓み変形可能となっている。
【００３０】
図１１及び図１２に示すように、板厚吸収部２５Ａの突出端部（自由端部）には、側断面視で略円状をなす厚肉の押さえ本体３４が設けられている。板厚吸収部２５Ａが自然状態にある場合、押さえ本体３４と補助係止突起３２との間の離間距離は、パネル９０の板厚よりも小さくされている。
【００３１】
ハウジング１０がパネル９０の取付孔９１に挿入される過程では、各補助係止部３１の補助係止突起３２が取付孔９１の上下両端縁の左右両側部を摺動することにより、各補助係止部３１が内側（係止部１９側）へ撓み変形させられる。ハウジング１０が取付孔９１に正規挿入される直前には、各板厚吸収部２５Ａの押さえ本体３４がパネル９０の後面（他面）における取付孔９１の開口縁部のうちの上下両端側の左右両側部に突き当て状に弾性的に当接する。このとき、板厚吸収部２５Ａは、上下両壁１７の後端部に連なる基端部がパネル９０の後面から離間し、押さえ本体３４のみがパネル９０の後面に当接するように、パネル９０の後面へ向けて前傾する姿勢をとる。
【００３２】
ハウジング１０が取付孔９１に正規挿入されると、各板厚吸収部２５Ａが撓み変形した状態で、押さえ本体３４がパネル９０の後面に当接した状態を維持する。また、ハウジング１０が取付孔９１に正規挿入されると、各補助係止部３１が弾性的に復帰して、補助係止突起３２の後面がパネル９０の前面（一面）における取付孔９１の開口縁部のうちの上下両端側の左右両側部に当接する。また、パネル９０の前面側では、両係止部１９の係止本体２２が両突出片９２に当接する状態となる。なお、両係止部１９の撓み動作と各補助係止部３１の撓み動作は、ほぼ同じタイミングで行われる。
【００３３】
実施例２によれば、各補助係止部３１と両係止部１９がパネル９０の前面側に当接して係止されるとともに、各板厚吸収部２５Ａがパネル９０の後面側に当接して係止されるため、実施例１と同様、パネル９０に対するハウジング１０の前後方向のがたつきが抑えられる。とくに、パネル９０の前面側に対し、両係止部１９に加えて各補助係止部３１も係止されるため、ハウジング１０がパネル９０から後方へ抜け出るのが確実に防止される。また、補助係止部３１が板厚吸収部２５Ａとは別に撓み動作する形態とされているため、補助係止部３１と板厚吸収部２５Ａのそれぞれの撓み動作の円滑性が担保される。
【００３４】
＜他の実施例＞
以下、他の実施例を簡単に説明する。
（１）上記実施例１、２においては、押さえ部の突出方向の途中部分がパネルの後面側に当接する構成であってもよい。
（２）上記実施例１、２においては、パネル係止部から対向壁を省略してもよい。
（３）上記実施例２においては、パネル係止部から補助係止部を省略してもよい。
【符号の説明】
【００３５】
１０…ハウジング
１２、１２Ａ…パネル係止部
１９…係止部
２５、２５Ａ…板厚吸収部
２８…押さえ部
３１…補助係止部
９０…パネル
９１…取付孔
【図１】
2016018771.tif 000003
【図２】
2016018771.tif 000004
【図３】
2016018771.tif 000005
【図４】
2016018771.tif 000006
【図５】
2016018771.tif 000007
【図６】
2016018771.tif 000008
【図７】
2016018771.tif 000009
【図８】
2016018771.tif 000010
【図９】
2016018771.tif 000011
【図１０】
2016018771.tif 000012
【図１１】
2016018771.tif 000013
【図１２】
2016018771.tif 000014